(57)【特許請求の範囲】
【請求項１】
一側に相手端子を端子収容室内に挿入するための挿入開口が設けられ、他側に端子を前記端子収容室内に組み付けるための組付開口が設けられ、貫通孔を有した基板に固定されるハウジング本体を備え、
前記ハウジング本体が前記基板に固定された状態で、前記貫通穴と前記組付開口とが連通して前記ハウジング本体の他側から前記端子収容室内に前記相手端子を挿入可能とする基板用コネクタであって、
前記端子は、前記端子収容室内に挿入、収容されて前記相手端子に接触する接触部を一側に有し、前記基板に半田付け固定される半田付け固定部を他側に有し、前記接触部は、前記ハウジング本体の他側から前記相手端子が前記端子収容室内に挿入されるとき、前記接触部に前記相手端子を案内する端子案内部を有し、該端子案内部は、前記相手端子と摺動して前記ハウジング本体の幅方向及び長手方向での案内を行う斜面を備え、前記接触部が、前記端子収容室内への収容状態で前記端子収容室内への挿入方向の後端が前記組付開口と面一以上となることを特徴とする基板用コネクタ。
【請求項２】
請求項１記載の基板用コネクタであって、
前記ハウジング本体が、他側から前記端子収容室内に前記相手端子を挿入されるとき、前記端子収容室への前記相手端子の挿入を案内する挿入案内部を有していることを特徴とする基板用コネクタ。
【発明の詳細な説明】
【０００１】
【発明の属する技術分野】
本発明は、複数仕様の相手端子に対応させるために、ハウジング本体の一側または他側から相手端子を端子収容室内に挿入可能とする基板用コネクタに関する。
【０００２】
【従来の技術】
基板用コネクタでは、コスト低減や部品管理の容易性などの観点から、１つのもので隣接間のピッチが異なるなどの複数仕様の相手端子に対応させることが行われている。この基板用コネクタとしては、例えば、図８および図９に示すようなものがある。
【０００３】
図８および図９に示すように、基板用コネクタ１は、端子収容室２を有し、貫通孔３ａを有した基板３に固定されるハウジング本体４と、このハウジング本体４の端子収容室２内に収容される端子５と、ハウジング本体４の他側に組み付けられるスペーサ部材６とを備えている。
【０００４】
ハウジング本体４は、一側に電気接続箱７の相手端子８を端子収容室２内に挿入するための挿入開口９が設けられ、他側に端子５を端子収容室２内に組み付けるための組付開口１０が設けられている。このハウジング本体４の挿入開口９は、開口縁に相手端子の端子収容室２への挿入を案内して端子５と相手端子８との隣接間のピッチのずれを吸収する案内斜面９ａが設けられている。また、ハウジング本体４の組付開口１０は、基板３の貫通孔３ａ上に配置されている。
【０００５】
端子５は、一側に相手端子８と接触する接触部１１が設けられ、他側に基板３のスルーホール３ｄを挿通して裏面３ｃで半田付け固定される半田付け固定部１２が設けられている。この端子５は、接触部１１がハウジング本体４の端子収容室２内に挿入、収容され、半田付け固定部１２がハウジング本体４の組付開口１０から引き出されるようになっている。
【０００６】
一方、スペーサ部材６は、ハウジング本体４の他側に組み付けられてそのハウジング本体４の他側と基板３との間に配置される。このスペーサ部材６は、基板３の貫通孔３ａとハウジング本体４の組付開口１０とを連通し、ハウジング本体４の他側から端子収容室２内に相手端子８を挿入するための挿入開口１３を有している。
【０００７】
スペーサ部材６の挿入開口１３は、開口縁に相手端子８の端子収容室２内への挿入を案内して端子５と相手端子８との隣接間のピッチのずれを吸収する案内斜面１３ａが設けられている。このスペーサ部材６の挿入開口１３は、案内斜面１３ａの傾斜角度および大きさなどがハウジング本体４側の案内斜面９ａの傾斜角度および大きさなどと異なっている。
【０００８】
また、スペーサ部材６は、挿入開口９の側方に設けられた複数の各引出開口１４を有しており、それらの引出開口１４から端子５の半田付け固定部１２をハウジング本体４の外側に引き出すようになっている。
【０００９】
このような基板用コネクタ１では、図９に示すように、相手端子８の端子収容室２内への挿入をハウジング本体４の一側または他側から選択的に行うことで、隣接間のピッチが異なるなどの複数仕様の相手端子８に対応させることができる。
【００１０】
【発明が解決しようとする課題】
ところで、上記従来の基板用コネクタ１では、通常、端子５の接触部１１が端子収容室２内に収容された状態で、その接触部１１が端子収容室２への挿入方向の後端が組付開口１０に対して端子収容室２の内部に配置される。このため、基板用コネクタ１では、組み付け時に端子収容室２内に端子５を収容する場合、端子５の接触部１１を端子収容室２の内部に押し込んで挿入する必要があり、挿入機械などを用いることができなかった。
【００１１】
したがって、基板用コネクタ１では、端子収容室２内への端子５の収容作業が手作業により行われ、全体として組付作業に手間がかかっていた。
【００１２】
また、基板用コネクタ１では、端子５の接触部１１を端子収容室２の内部に押し込んで挿入するとき、半田付け固定部１２を把持して行われることとなり、半田付け固定部１２が変形するおそれがあった。
【００１３】
そこで、本発明は、上記課題を考慮してなされたものであり、組付作業の作業性を向上することができ、また、半田付け固定部の変形などを防止する基板用コネクタの提供を目的とする。
【００１４】
【課題を解決するための手段】
上記目的を達成するため、請求項１記載の発明は、一側に相手端子を端子収容室内に挿入するための挿入開口が設けられ、他側に端子を前記端子収容室内に組み付けるための組付開口が設けられ、貫通孔を有した基板に固定されるハウジング本体を備え、前記ハウジング本体が前記基板に固定された状態で、前記貫通穴と前記組付開口とが連通して前記ハウジング本体の他側から前記端子収容室内に前記相手端子を挿入可能とする基板用コネクタであって、前記端子は、前記端子収容室内に挿入、収容されて前記相手端子に接触する接触部を一側に有し、前記基板に半田付け固定される半田付け固定部を他側に有し、前記接触部は、前記ハウジング本体の他側から前記相手端子が前記端子収容室内に挿入されるとき、前記接触部に前記相手端子を案内する端子案内部を有し、該端子案内部は、前記相手端子と摺動して前記ハウジング本体の幅方向及び長手方向での案内を行う斜面を備え、前記接触部が、前記端子収容室内への収容状態で前記端子収容室内への挿入方向の後端が前記組付開口と面一以上となることを特徴とする。
【００１５】
このように構成された請求項１記載の発明は、端子収容室内に接触部が収容された状態で、その接触部の端子収容室への挿入方向の後端が組付開口と面一となるため、組み付けの際に接触部の端子収容室への挿入方向の後端を押圧することで接触部を端子収容室内に押し込むことなく挿入、収容することができる。
【００１６】
また、組付開口を貫通穴と連通させることでハウジング本体の他側から端子収容室内に相手端子を挿入可能とする挿入開口として機能させることができる。さらに、ハウジング本体の他側から複数の相手端子を端子収容室内に挿入するとき、端子案内部により相手端子を端子の接触部に確実に案内することができる。
【００１７】
請求項２記載の発明は、請求項１記載の基板用コネクタであって、前記ハウジング本体が、他側から前記端子収容室内に前記相手端子を挿入されるとき、前記端子収容室への前記相手端子の挿入を案内する挿入案内部を有していることを特徴とする。
【００１８】
このように構成された請求項２記載の発明は、請求項１記載の発明の作用に加え、相手端子をハウジング本体の他側から挿入するとき、挿入案内部により複数の相手端子をそれぞれ端子収容室内に案内することができる。
【００２１】
【発明の実施の形態】
以下、本発明にかかる基板用コネクタの一実施形態について説明する。図１（ａ），（ｂ）は、本発明にかかる基板用コネクタの一実施形態を示す断面図、図２（ａ），（ｂ）は、図１（ａ），（ｂ）に示す基板用コネクタの分解斜視図、図３は、図１（ａ），（ｂ）に示す基板用コネクタのハウジング本体の斜視図、図４は、図１に示す基板用コネクタの斜視図である。
【００２２】
基板用コネクタ１５は、図１（ａ），（ｂ）、図２（ａ），（ｂ）および図３に示すように、複数の端子収容室１６を有し、貫通孔３ａを有する基板３に固定されるハウジング本体１７と、複数の各端子収容室１６内に収容されて電気接続箱（不図示）の相手端子（不図示）とそれぞれ接続される複数の端子１８とで形成されている。
【００２３】
ハウジング本体１７は、矩形断面の開口を有した筒状壁部１７ａが、上側（一側）を上壁部１７ｂにより閉塞されて形成されている。このハウジング本体１７の長手方向の両側には、それぞれハウジング本体１７を基板３に固定するための固定部１９，１９が設けられている。
【００２４】
この固定部１９は、ボルト２０による締結用穴１９ａを有していると共に、ハウジング本体１７の下側（他側）端部に対して下方に向けて突出している。そして、固定部１９は、図１（ａ），（ｂ）に示すように、下面１９ｂを基板３の表面３ｂに当接させて基板３の裏面３ｃから締結用穴１９ａにボルト２０が締結されることで、ハウジング本体１７の下側端部と基板３との間に所定寸法の隙間Ｓを形成してハウジング本体１７を基板３に固定できるようになっている。
【００２５】
また、ハウジング本体１７の内部には、図１（ａ），（ｂ）、図２（ａ），（ｂ）および図３に示すように、筒状の複数の端子収容室１６が形成されている。複数の端子収容室１６は、図１（ａ），（ｂ）に示すように、内側面１６ａ，１６ｂ間に配置された区画壁２０により隣接間が区画されてハウジング本体１７の長手方向に所定のピッチを有して形成されている。これらの端子収容室１６は、後述する端子１８を内部に保持するための係止片２１を備えている。
【００２６】
係止片２１は、図１（ｂ）に示すように、ハウジング本体１７の内側面１６ａに弾性を有した片持ち棒状に形成され、ハウジング本体１７の内側面１６ａ，１６ｂ間で基端を支点に先端が変位可能となっている。この係止片２１の先端には、膨出部２１ａが設けられており、この膨出部２１ａが後述する端子１８の係合穴３３に係合してその端子１８を端子収容室１６内に保持するようになっている。
【００２７】
このようなハウジング本体１７は、図１（ａ），（ｂ）、図２（ａ），（ｂ）および図３に示すように、上側に相手端子を端子収容室１６内に挿入するための挿入開口２２が設けられ、下側に端子１８を端子収容室１６内に組み付けるための組付開口２３が設けられている。挿入開口２２は、図１（ａ），（ｂ）および図４に示すように、上壁部１７ｂを貫通した孔からなり、端子収容室１６に対応した位置にそれぞれ設けられている。この挿入開口２２は、ハウジング本体１７の外側と端子収容室１６とを連通しており、相手端子をハウジング本体１７の上側から複数の端子収容室１６内に挿入可能としている。また、挿入開口２２には、端子収容室１６内への相手端子の挿入を案内する案内斜面２４が設けられている。
【００２８】
案内斜面２４は、挿入開口２２の上側の開口縁に設けられ、下側から上側に向けて次第に挿入開口２２の断面積を大きくするように形成されている。この案内斜面２４は、相手端子が摺動することで端子収容室１６内への相手端子の挿入を案内するようになっている。
【００２９】
一方、組付開口２３は、図１（ａ），（ｂ）および図２（ａ），（ｂ）に示すように、ハウジング本体１７の下側に設けられ、そのハウジング本体１７の下側の開口を区画壁２０の先端により区画されて形成されている。この組付開口２３は、後述する端子１８の接触部２６の断面形状と略同一か若干大きい断面形状となっている。また、組付開口２３は、ハウジング本体１７が基板３に固定された状態で基板３の貫通孔３ａ上に配置され、その貫通孔３ａと連通して相手端子をハウジング本体１７の下側から端子収容室１６内に挿入可能とする。
【００３０】
この組付開口２３には、端子収容室１６内への相手端子の挿入を案内する複数の斜面２５ａからなる挿入案内部２５が設けられている。挿入案内部２５は、図１（ａ），（ｂ）および図２（ｂ）に示すように、組付開口２３の開口縁に設けられ、下側から上側に向けて次第に組付開口２３の断面積を小さくするように形成されている。この挿入案内部２５は、斜面２５ａの傾斜角度および大きさなどが挿入開口２２の案内斜面２４の傾斜角度および大きさなどと異なっている。そして、挿入案内部２５は、相手端子が斜面２５ａを摺動することで端子収容室１６内への相手端子の挿入を案内できるようになっている。
【００３１】
上述した端子１８は、図１（ａ），（ｂ）、図４および図５（ａ）〜（ｃ）に示すように、端子収容室１６内に挿入、収容されて相手端子に接触する接触部２６を一側に有し、基板３に半田付け固定される半田付け固定部２７を他側に有している。接触部２６は、端子収容室１６への挿入方向の前端側に相手端子と弾性的に接触する弾性接触片２８ａを内部に有した筒状の接触部本体２８が設けられ、端子収容室１６への挿入方向の後端側に接触部本体２８と半田付け固定部２７とを連結している連結部２９が設けられている。
【００３２】
接触部本体２８は、長手方向の両側の開口から相手端子を内部に挿入可能となっている。この接触部本体２８は、図４および図５（ａ）〜（ｃ）に示すように、弾性接触片２８ａが設けられている側壁２８ｂに対向した側壁２８ｃに形成された斜壁２８ｄを有している。この接触部本体２８の斜壁２８ｄは、端子収容室１６への挿入方向の後端側から引き出され、次第に外側に傾斜している。
【００３３】
一方、連結部２９は、接触部本体２８から延設された延設壁３０と、この延設壁３０と半田付け固定部２７とを接続している接続壁３１と、この接続壁３１に設けられて延設壁３０に対向配置された対向壁３２とを有している。
【００３４】
延設壁３０は、矩形板状となっており、弾性接触片２８ａおよび斜壁２８ｄが設けられている側壁２８ｂ，２８ｃに交差した側壁２８ｅから端子収容室１６への挿入方向の後端側に向けて延設されている。この延設壁３０は、自身の弾性により端子収容室１６内での接触部本体２８の変位を許容している。
【００３５】
また、延設壁３０の先端は、図１（ａ），（ｂ）に示すように、接触部２６の端子収容室１６への挿入方向の後端となっており、接触部２６の端子収容室１６への収容状態で組付開口２３の挿入案内部２５の斜面２５ａ上端に面するようになっている。すなわち、延設壁３０の先端は、組付開口２３と面一に配置された状態となる。この延設壁３０の先端には、斜面３０ａが設けられている。
【００３６】
斜面３０ａは、延設壁３０の内面から先端にかけて次第に延設壁３０の断面寸法を小さくするように形成されている。この斜面３０ａは、端子１８が端子収容室１６内に収容された状態で、組付開口２３の挿入案内部２５の斜面２５ａと略面一となる。
【００３７】
このような延設壁３０は、図４および図５（ａ）〜（ｃ）に示すように、接続壁３１を介して半田付け固定部２７と接続されている。接続壁３１は、矩形板状に形成され、延設壁３０の長手方向に沿って一体成形されると共に、側壁２８ｂ側に向けて延設壁３０に交差して突出している。この接続壁３１は、延設壁３０の先端から中間部まで設けられており、端子収容室１６への挿入方向の前端縁と接触部本体２８の後端縁との間に、前述した端子収容室１６の係止片２１が係合する係合穴３３を形成している。また、接続壁３１は、前端縁に斜壁３１ａが一体成形されている。
【００３８】
斜壁３１ａは、図５（ｃ）に示すように、接続壁３１の前端縁から接触部本体２８側に向けて設けられた矩形板状体からなり、接触部本体２８側に向けて次第に側壁２８ｃ側に向けて傾斜している。
【００３９】
上述した対向壁３２は、矩形板状となっており、接続壁３１の長手方向に沿って一体成形されると共に、接続壁３１に交差して突出している。この対向壁３２は、延設壁３０の先端に対向した後端縁が接触部２６の端子収容室１６への挿入方向の後端となっており、図１（ａ）に示すように、接触部２６の端子収容室１６への収容状態で組付開口２３の挿入案内部２５の斜面２５ａの上端に面するようになっている。すなわち、対向壁３２の後端縁は、組付開口２３と面一に配置された状態となる。この対向壁３２の後端縁には、斜面３２ａが設けられている。
【００４０】
斜面３２ａは、対向壁３２の内面から先端にかけて次第に対向壁３２の断面寸法を小さくするように形成されている。この斜面３２ａは、図１（ａ），（ｂ）に示すように、接触部２６が端子収容室１６内に収容された状態で、組付開口２３の挿入案内部２５の斜面２５ａと略面一となる。
【００４１】
このような接触部２６は、図４および図１（ａ）〜（ｃ）に示すように、接触部本体２８の斜壁２８ｄと、連結部２９の斜壁３１ａと、延設壁３０に形成された斜面３０ａと、対向壁３２に設けられた斜面３２ａとからなり、ハウジング本体１７の下側から相手端子を端子収容室１６内に挿入するときに、その相手端子を接触部本体２８に案内する端子案内部３４を有している。
【００４２】
端子案内部３４は、相手端子が斜壁２８ｄおよび３１ａの内面を摺動することでその相手端子のハウジング本体１７の幅方向での案内を行い、相手端子が延設壁３０に形成された斜面３０ａおよび対向壁３２に設けられた斜面３２ａを摺動することで相手端子のハウジング本体１７の長手方向での案内を行うようになっている。
【００４３】
なお、上記接触部２６では、端子収容室１６内への収容状態で端子収容室１６内への挿入方向の後端である延設壁３０の先端および対向壁３２の後端縁が組付開口２３と面一となっていたが、延設壁３０の先端および対向壁３２の後端縁が組付開口２３よりも外側に突出していてもよい。すなわち、接触部では、延設壁３０の先端および対向壁３２の後端縁が組付開口２３と面一以上となっていればよい。
【００４４】
上述した半田付け固定部２７は、図１（ｂ）、図４、図５（ａ）〜（ｃ）に示すように、弾性を有したクランク状の応力吸収部３５を介して接続壁３１の後端縁に連結された矩形板状体からなり、スルーホール３ｄを挿通して基板３の裏面３ｃ側で半田付け固定される。この半田付け固定部２７は、応力吸収部３５がハウジング本体１７の下端と基板３の表面３ｂとの間に形成される隙間Ｓに収容されるようになっている。また、半田付け固定部２７は、応力吸収部３５の弾性により端子収容室１６内での接触部の変位を許容している。
【００４５】
なお、上記基板用コネクタ１５では、図２（ａ），（ｂ）および図６に示すように、端子１８と共に端子１８よりも幅方向に大きく形成された端子３６が用いられている。この端子３６は、端子１８と同一構成となっている。
【００４６】
このように構成された基板用コネクタ１５により基板３と電気接続箱などとを接続する場合には、隣接間のピッチが異なるなど電気接続箱などの複数の相手端子の仕様に応じてハウジング本体１７の上側または下側から相手端子を端子収容室１６内に選択的に挿入する。
【００４７】
ハウジング本体１７の上側から相手端子を端子収容室１６内に挿入すると、相手端子が、挿入開口２２から端子収容室１６内に挿入されて端子１８，３６の接触部２６に接触し、複数の端子１８，３６と導通する。
【００４８】
このとき、複数の相手端子が端子１８，３６と隣接間のピッチがずれている仕様である場合には、複数の相手端子がそれぞれ複数の各挿入開口２２の案内斜面２４に案内される。この結果、基板用コネクタ１５では、複数の相手端子と端子１８，３６とのピッチのずれを吸収し、それらの相手端子と端子１８，３６の接触部２６とを接触させることができる。
【００４９】
また、複数の相手端子が端子１８，３６と隣接間のピッチがずれている仕様であり、ハウジング本体１７の一側から端子収容室１６に挿入できない場合には、図７（ａ），（ｂ）に示すように、ハウジング本体１７の下側から相手端子３７を端子収容室１６内に挿入することとなる。
【００５０】
この場合には、挿入開口２２（不図示）の案内斜面２４（不図示）と傾斜角度および大きさなどが異なる斜面２５ａを有した挿入案内部２５および端子案内部３４により複数の相手端子３７が端子収容室１６内への挿入が案内される。このため、基板用コネクタ１５では、ハウジング本体１７の上側から挿入できない仕様の相手端子３７でも、ハウジング本体１７の下側から挿入することでピッチのずれを吸収して端子１８，３６の接触部２６に接触させることができる。
【００５１】
このような基板用コネクタ１５を組み付ける際には、まず、ハウジング本体１７の複数の各端子収容室１６内に端子１８，３６を収容し、次に、ハウジング本体１７を基板３上に固定する。
【００５２】
ハウジング本体１７の端子収容室１６内に端子１８，３６を収容するときには、図２（ａ），（ｂ）に示すように、予め、接触部２６の断面形状と組付開口２３の断面形状とを一致させておき、接触部２６を端子収容室１６内に挿入、収容する。
【００５３】
接触部２６を端子収容室１６内に挿入、収容するときには、端子収容室１６内への接触部２６の収容状態で、延設壁３０の先端および対向壁３２の後端縁が組付開口２３と面一となるため、それらの延設壁３０の先端および対向壁３２の後端縁を押圧することで、接触部２６を端子収容室１６の内部に押し込むことなく挿入、収容することができる。したがって、基板用コネクタ１５では、接触部２６の端子収容室１６内への挿入、収容の際に、挿入機械などを用いて作業を行うことができる。
【００５４】
また、接触部２６の端子収容室１６内への挿入、収容の際には、端子収容室１６内への接触部２６の収容状態で組付開口２３と面一となる延設壁３０の先端および対向壁３２の後端縁を押圧して作業を行うことができるため、半田付け固定部２７が変形するなどの不具合を防止することができる。
【００５５】
そして、端子収容室１６内に端子１８，３６が収容したハウジング本体１７は、固定部１９により基板３に固定され、基板３の裏面３ｃ側で半田付け固定部２７が半田付け固定される。このようにして基板用コネクタ１５は、その組み付けが完了する。
【００５６】
上記本実施形態の基板用コネクタ１５では、端子収容室１６内に接触部２６が収容された状態で、その接触部２６の延設壁３０の先端および対向壁３２の後端縁が組付開口２３と面一となる。このため、基板用コネクタ１５では、組み付けの際に延設壁３０の先端および対向壁３２の後端縁を押圧することで接触部２６を端子収容室１６内に押し込むことなく挿入、収容することができる。
【００５７】
したがって、基板用コネクタ１５では、組み付けの際に端子収容室１６への端子１８，３６の収容を挿入機械などを用いて作業を行うことができ、組付作業の自動化を図りその組付作業効率を向上することができる。
【００５８】
また、基板用コネクタ１５では、端子収容室１６内に接触部２６が収容された状態で組付開口２３と面一となる延設壁３０の先端および対向壁３２の後端縁を押圧して端子収容室１６への端子１８，３６の収容を行うことができ、半田付け固定部２７が変形するなどの不具合を防止することができる。
【００５９】
また、基板用コネクタ１５では、組付開口２３をハウジング本体１７の下側から端子収容室１６内に相手端子を挿入可能とする挿入開口として機能させ、複数の相手端子の端子収容室１６内への挿入をハウジング本体１７の上側または下側から選択的に行うことにより、隣接間のピッチが異なるなどの複数仕様の相手端子に容易に対応することができる。
【００６０】
さらに、基板用コネクタ１５では、相手端子をハウジング本体１７の下側から挿入する場合でも、挿入案内部２５により複数の相手端子をそれぞれ端子収容室１６内に案内し、相手端子と端子１８，３６とのピッチのずれなどを容易に吸収することができる。
【００６１】
この結果、基板用コネクタ１５では、隣接間のピッチが異なるなどの複数仕様の相手端子に、より容易に対応することができ、かつ従来の基板用コネクタのスペーサ部材に相当する部分を省略し、部品点数を低減してコストを低減することができると共に、組付作業効率を向上することができる。
【００６２】
さらに、基板用コネクタ１５では、ハウジング本体１７の下側から複数の相手端子を端子収容室１６内に挿入するとき、端子案内部３４により複数の相手端子をそれぞれ端子収容室１６内に案内して相手端子を端子１８，３６の接触部２６に確実に案内することができる。このため、基板用コネクタ１５では、複数の端子１８，３６と複数の相手端子との接続を確実に行うことができる。
【００６３】
【発明の効果】
以上説明したように請求項１記載の発明によれば、端子収容室内に接触部を収容すると、その接触部の端子収容室への挿入方向の後端が組付開口と面一となるため、組み付けの際に接触部の端子収容室への挿入方向の後端を押圧することで接触部を端子収容室内に押し込むことなく挿入、収容することができる。
【００６４】
したがって、組み付けの際には、端子収容室への端子の収容を機械などを用いて作業を行うことができ、組付作業の自動化を図り組付作業効率を向上することができる。
【００６５】
また、端子収容室内に接触部が収容された状態で組付開口と面一となる接触部の端子収容室への挿入方向の後端を押圧することで接触部を端子収容室内に挿入、収容することができるため、半田付け固定部が変形するなどの不具合を防止することができる。
【００６６】
さらに、組付開口をハウジング本体の他側から端子収容室内に相手端子を挿入可能とする挿入開口として機能させ、相手端子の端子収容室内への挿入をハウジング本体の一側または他側から選択的に行うことにより、隣接間のピッチが異なるなどの複数仕様の相手端子に容易に対応することができる。また、ハウジング本体の他側から複数の相手端子を端子収容室内に挿入するとき、端子案内部により相手端子を接触部に案内することができる。このため、端子と相手端子との接続を確実に行うことができる。
【００６７】
請求項２記載の発明によれば、請求項１記載の発明の効果に加え、相手端子をハウジング本体の他側から挿入する場合でも、挿入案内部により相手端子をそれぞれ端子収容室内に案内し、相手端子と端子とのピッチのずれなどを容易に吸収することができる。
【００６８】
この結果、隣接間のピッチが異なるなどの複数仕様の相手端子に、より容易に対応することができ、かつ従来の基板用コネクタのスペーサ部材に相当する部分を省略し、部品点数を低減してコストを低減することができると共に、組付作業効率を向上することができる。
【図面の簡単な説明】
【図１】図１（ａ）は、本発明にかかる基板用コネクタの第１実施形態を長手方向に切断した状態を示す断面図であり、図１（ｂ）は、本発明にかかる基板用コネクタの第１実施形態を幅方向に切断した状態を示す断面図である。
【図２】図２（ａ）は、図１（ａ）、（ｂ）に示す基板用コネクタの分解斜視図であり、図２（ｂ）は、図２（ａ）に示す一部分の拡大斜視図である。
【図３】図３は、図１（ａ）、（ｂ）に示す基板用コネクタのハウジング本体の斜視図である。
【図４】図４は、図１（ａ）、（ｂ）に示す基板用コネクタの端子の斜視図である。
【図５】図５（ａ）は、図４に示す端子の側面図であり、図５（ｂ）は、図４に示す端子の平面図であり、図５（ｃ）は、図４に示す端子の断面図である。
【図６】図６（ａ）は、図１に示す基板用コネクタに用いられている他の端子を示す側面図であり、図６（ｂ）は、図１に示す他の端子の平面図であり、図６（ｃ）は、図１に示す他の端子の断面図である。
【図７】図７は、図１（ａ），（ｂ）に示す基板用コネクタに相手端子を挿入するときの図であり、図７（ａ）は、図１（ａ）に対応する断面図、図７（ｂ）は、図１（ｂ）に対応する断面図である。
【図８】図８は、従来の他の基板用コネクタを示す断面図である。
【図９】図９は、図８に示す従来の基板用コネクタを電気接続箱の相手端子に接続するときの斜視図である。
【符号の説明】
３  基板
３ａ  貫通穴
１５  基板用コネクタ
１６  端子収容室
１７  ハウジング本体
１８，３６  端子
２２  挿入開口
２３  組付開口
２５  挿入案内部
２６  接触部
２７  半田付け固定部
３４  端子案内部
【図１】
0003998442.tif 000002
【図２】
0003998442.tif 000003
【図３】
0003998442.tif 000004
【図４】
0003998442.tif 000005
【図５】
0003998442.tif 000006
【図６】
0003998442.tif 000007
【図７】
0003998442.tif 000008
【図８】
0003998442.tif 000009
【図９】
0003998442.tif 000010